(57)【要約】      （修正有）【課題】用紙の反り検出装置を提供する。【解決手段】用紙トレイ１１と、第一閾値及び第二閾値を内部に記憶するプロセッサと、前記用紙トレイのトレイ面との間に夾角が形成することにより、下向きに傾斜した方向に超音波ビームを発射させる第一送信素子１６と、前記用紙トレイの前端に設置され、前記用紙トレイのトレイ面との間に夾角を形成することにより、下向きに傾斜した方向に前記用紙から反射された超音波ビームを受信する第一受信素子１７と、前記第一受信素子及び前記プロセッサにそれぞれ電気的に接続され、前記第一受信素子により受信された超音波ビームをデジタル信号に変換した後に前記プロセッサに出力する第一Ａ／Ｄ変換器とを備える。【選択図】図１
0003223365.tif 000002
【実用新案登録請求の範囲】
【請求項１】
フィードされる用紙をセットするための用紙トレイと、
第一閾値を内部に記憶するプロセッサと、
前記用紙トレイのトレイ面との間に夾角を形成することにより、下向きに傾斜した方向に超音波ビームを発射する第一送信素子と、
前記用紙トレイの前端に設置され、前記用紙トレイのトレイ面との間に夾角を形成することにより、下向きに傾斜した方向に前記用紙から反射された超音波ビームを受信する第一受信素子と、
前記第一受信素子及び前記プロセッサにそれぞれ電気的に接続され、前記第一受信素子により受信された超音波ビームをデジタル信号に変換した後に前記プロセッサに出力する第一A／D変換器と、
を備え、
前記第一送信素子と前記用紙トレイのトレイ面との角度は前記第一受信素子と前記用紙トレイのトレイ面との角度より大きく、
前記プロセッサは、前記第一A／D変換器から出力されたデジタル信号を読み取って前記第一閾値との比較を行う、
ことを特徴とする用紙の反り検出装置。
【請求項２】
前記プロセッサは、第二閾値を内部に記憶し、且つ、
前記用紙の反り検出装置は、
前記用紙トレイの一側に設置され、前記プロセッサに電気的に接続され、前記プロセッサによりスイッチが制御され、オンにされると超音波ビームを発射する第二送信素子と、
前記用紙トレイの他側に設置され、前記第二送信素子から発射された超音波ビームを受信する第二受信素子と、
前記第二受信素子及び前記プロセッサにそれぞれ電気的に接続され、前記第二受信素子により受信された超音波ビームをデジタル信号に変換した後前記プロセッサに出力する第二A／D変換器と、
を更に備え、
前記第二送信素子は、第二送信器及び第一反射壁を備え、
前記第一反射壁は、球面反射壁として設置され、内側の凹面が前記第二受信素子に向けられ、
前記プロセッサは、前記第二A／D変換器から出力されたデジタル信号を読み取って前記第二閾値との比較を行い、
前記第二送信器は、前記第一反射壁の内側の凹面側に設置され、前記第二送信器により発射された超音波ビームは、前記第一反射壁によって反射して集中する、
ことを特徴とする請求項１に記載の用紙の反り検出装置。
【請求項３】
前記第二送信素子により発射された超音波ビームの発射角が１０度未満になるように構成される、ことを特徴とする請求項２に記載の用紙の反り検出装置。
【請求項４】
前記第一反射壁は連接する第一曲面壁と第二曲面壁とからなり、前記第一曲面壁及び前記第二曲面壁は共に球面反射壁として設けられ、且つ内側の凹面が前記第二受信素子に向けられ、
前記第二送信器は前記第一曲面壁及び第二曲面壁の焦点間の接続線上に位置し、
前記第一曲面壁は前記第二送信器の前端側に設置され、前記第一曲面壁の焦点が前記第二送信器の前端に位置するように構成され、
前記第二曲面壁は前記第二送信器の後端側に設置され、前記第二曲面壁の焦点が前記第二送信器の後端に位置するように構成される、
ことを特徴とする請求項２に記載の用紙の反り検出装置。
【請求項５】
前記第二受信素子は第二受信器及び第二反射壁を備え、
前記第二反射壁は球面反射壁として設けられ、内側の凹面は前記第二送信素子に向けられ、
前記第二受信器は、前記第二反射壁の内側の凹面側に設置され、前記第二送信器により発射された超音波ビームは、前記第二反射壁によって反射して集中し、前記第二受信器に入射する、
ことを特徴とする請求項２に記載の用紙の反り検出装置。
【請求項６】
前記第一受信素子の設置高さは前記第一送信素子の設置高さより低い、ことを特徴とする請求項１に記載の用紙の反り検出装置。
【請求項７】
前記第一送信素子により発射された超音波ビームの発射角は９４度である、ことを特徴とする請求項１に記載の用紙の反り検出装置。
【請求項８】
前記第一送信素子と前記用紙トレイのトレイ面との間の角度は４０度より大きく６０度未満である、ことを特徴とする請求項１に記載の用紙の反り検出装置。
【請求項９】
前記第一受信素子と前記用紙トレイのトレイ面との間の角度は２５度より大きく４５度未満である、ことを特徴とする請求項１に記載の用紙の反り検出装置。
【考案の詳細な説明】
【技術分野】
【０００１】
本考案は、用紙の反り検出装置に関し、より詳しくは、開放式給紙トレイに用いられる用紙の反り検出装置に関する。
【背景技術】
【０００２】
従来の事務機器の給紙機構を分類すると、開放式給紙及び閉鎖式給紙の２種類に大別する。図１０Ａに示されるＣ-Ｔｙｐｅ開放式給紙トレイ及び図１０Ｂに示されるフィード型開放式給紙トレイのような、開放式給紙は用紙の交換が容易であり、故障の排除が容易である等の利点がある。このため、多品種少量の個人用機器に広く応用され、使用者によるサイズ及び種類の異なる文書の処理の利便性が向上している。
【０００３】
しかしながら、標準化された大量の用紙の収容に常用される閉鎖式給紙トレイと比較すると、開放式給紙トレイはより多くの種類の用紙の収容に用いられるが、開放式構造の特性の制限を受け、用紙の状態を検出するためのセンサーを設置可能なスペースを確保できないことがある。このため、給紙エラーが発生し次第給紙を停止することが困難となり、用紙及び文書に損傷を与えることがあった。
【考案の概要】
【考案が解決しようとする課題】
【０００４】
そこで、本考案者は上記の欠点が改善可能と考え、鋭意検討を重ねた結果、給紙時に用紙の破損を防ぐ、開放式給紙トレイに応用可能な用紙の反り検出装置を見出した。
【０００５】
かかる従来の実情に鑑みて、本考案は、従来の技術に存在する欠陥及び不足に対し、給紙時に用紙の反りが生じていないかどうかを有効的に検出可能な用紙の反り検出装置を提供し、給紙時に用紙の破損を防ぐことを目的とする。
【課題を解決するための手段】
【０００６】
上記課題を解決するために、本考案のある態様の用紙の反り検出装置は、フィードする用紙をセットするための用紙トレイと、第一閾値を内部に記憶するプロセッサと、前記用紙トレイのトレイ面との間に夾角を形成することにより、下向きに傾斜した方向に超音波ビームを発射する第一送信素子と、前記用紙トレイの前端に設置され、前記用紙トレイのトレイ面との間に夾角を形成することにより、下向きに傾斜した方向に前記用紙から反射された超音波ビームを受信する第一受信素子と、前記第一受信素子及び前記プロセッサにそれぞれ電気的に接続され、前記第一受信素子により受信された超音波ビームをデジタル信号に変換した後に前記プロセッサに出力する第一アナログ／ディジタル変換器（A／D変換器）と、を備える。前記第一送信素子と前記用紙トレイのトレイ面との角度は前記第一受信素子と前記用紙トレイのトレイ面との角度より大きく、前記プロセッサは、第一A／D変換器から出力されたデジタル信号を読み取って前記第一閾値との比較を行う。
【０００７】
本考案の好適例において、前記プロセッサは第二閾値を内部に記憶し、且つ、前記用紙の反り検出装置は、前記用紙トレイの一側に設置され、前記プロセッサに電気的に接続され、前記プロセッサによりスイッチが制御され、オンにされると超音波ビームを発射する第二送信素子と、前記用紙トレイの他側に設置され、前記第二送信素子から発射された超音波ビームを受信する第二受信素子と、前記第二受信素子及び前記プロセッサにそれぞれ電気的に接続され、前記第二受信素子により受信された超音波ビームをデジタル信号に変換した後前記プロセッサに出力する第二A／D変換器と、を更に備え、前記第二送信素子は、第二送信器及び第一反射壁を備え、前記第一反射壁は、球面反射壁として設置され、内側の凹面が前記第二受信素子に向けられ、前記プロセッサは、前記第二A／D変換器から出力されたデジタル信号を読み取って前記第二閾値との比較を行い、前記第二送信器は、前記第一反射壁の内側の凹面側に設置され、前記第二送信器により発射された超音波ビームは前記第一反射壁によって反射して集中する。
【０００８】
本考案の好適例において、第二送信素子により発射された超音波ビームの発射角が１０度未満になるように構成される。
【０００９】
本考案の好適例において、第一反射壁は連接（境界がなくつながっている）する第一曲面壁と第二曲面壁とからなり、前記第一曲面壁及び前記第二曲面壁は共に球面反射壁として設けられ、且つ内側の凹面が前記第二受信素子に向けられ、前記第二送信器は前記第一曲面壁及び第二曲面壁の焦点間の接続線上に位置し、前記第一曲面壁は前記第二送信器の前端側に設置され、前記第一曲面壁の焦点が前記第二送信器の前端に位置するように構成され、前記第二曲面壁は前記第二送信器の後端側に設置され、前記第二曲面壁の焦点が前記第二送信器の後端に位置するように構成される。
【００１０】
本考案の好適例において、前記第二受信素子は第二受信器及び第二反射壁を備え、前記第二反射壁は球面反射壁として設けられ、内側の凹面は前記第二送信素子に向けられ、前記第二受信器は前記第二反射壁の内側の凹面側に設置され、前記第二受信器により発射された超音波ビームは前記第二反射壁によって反射して集中し、前記第二受信器に入射する。
【００１１】
本考案の好適例において、前記第一受信素子の設置高さは前記第一送信素子の設置高さより低い。
【００１２】
本考案の好適例において、第一送信素子により発射された超音波ビームの発射角は９４度である。
【００１３】
本考案の好適例において、前記第一送信素子と前記用紙トレイのトレイ面との間の角度は４０度より大きく６０度未満である。
【００１４】
本考案の好適例において、前記第一受信素子と前記用紙トレイのトレイ面との間の角度は２５度より大きく４５度未満である。
【考案の効果】
【００１５】
本考案によれば、給紙時に用紙の破損を有効的に防止可能になる。
【図面の簡単な説明】
【００１６】
【図１】本考案の第１実施形態による用紙の反り検出装置を示す平面図である。
【図２】図１に示す用紙の反り検出装置を示す右側面図である。
【図３】図２に示す用紙の反り検出装置のピックアップローラーが用紙をピックアップすると共に最上位の用紙を連動させて前方にフィードする際に、最上位の用紙がステープルによって綴じられた他の用紙の後端を連動させて一緒に浮き上がる異常な給紙状態を示す概略図である。
【図４】図２に示す用紙の反り検出装置のピックアップローラーが用紙をピックアップした後、用紙の前端が湾曲して変形した異常な給紙状態を示す概略図である。
【図５】本考案の用紙の反り検出装置の構成を示す概略図である。
【図６】（Ａ）本考案の第二送信素子の一実施形態を示す平面図である。（Ｂ）本考案の第二送信素子の他の実施形態を示す平面図である。
【図７Ａ】本考案の第二送信素子が超音波ビームを反射する一実施形態を示すビーム図である。
【図７Ｂ】本考案の第二送信素子が超音波ビームを反射する他の実施形態を示すビーム図である。
【図７Ｃ】本考案の第二受信素子において、超音波ビームが第二反射壁によって反射した後、第二受信器に入射する一実施形態を示すビーム図である。
【図８Ａ】本考案の第一送信素子と用紙トレイの相対位置を示す概略図である。
【図８Ｂ】用紙が第一送信素子の超音波ビームを反射する概略図である。
【図８Ｃ】第一送信素子と用紙トレイの間の角度が小さすぎる場合、用紙が超音波ビームを反射する概略図である。
【図８Ｄ】第一送信素子と用紙トレイの間の角度が大きすぎる場合、用紙が超音波ビームを反射する概略図である。
【図９Ａ】本考案の第一受信素子と用紙トレイの相対位置を示す概略図である。
【図９Ｂ】本考案の第一受信素子と用紙トレイの角度が大きすぎる時の相対位置を示す概略図である。
【図１０Ａ】従来の開放式用紙トレイを有する事務機器を示す外観斜視図である。
【図１０Ｂ】従来の他の開放式用紙トレイを有する事務機器を示す外観斜視図である。
【考案を実施するための形態】
【００１７】
以下、図面を参照しつつ、本考案に係る用紙の反り検出装置について具体的に説明する。尚、以下に説明する実施の形態は、実用新案登録請求の範囲に記載された本考案の内容を限定するものではない。また、以下に説明される構成の全てが、本考案の必須要件であるとは限らない。
【００１８】
以下に、図１〜１０Ｂを参照しながら、本考案をさらに詳しく説明する。まず、図１、図２及び図５によると、本考案の原理を利用した用紙の反り検出装置は、事務機器１００（例えば、プリンター、スキャナー等）に設置され、用紙トレイ１１と、プロセッサ１２と、第二送信素子１３と、第二受信素子１４と、第二A／D変換器１５と、第一送信素子１６と、第一受信素子１７と、第一A／D変換器１８と、第一反射壁１９と、ピックアップローラー２０と、を備える。
【００１９】
用紙の反り検出装置について詳述する際に、用紙の反り検出装置と事務機器１００との相対位置は一例示にすぎず、本考案の範囲を制限するものではない。本考案の原理はフィード型開放式給紙トレイ及びＣ-Ｔｙｐｅ開放式給紙トレイに適用される。また、本考案の原理は水平及び傾斜する開放式給紙トレイに実現される。図１に示される好ましい実施形態において、前記用紙トレイ１１は水平に設置され、且つフィードされた用紙３０は前記用紙トレイ１１に上下に積み重ねられるように載置される。前記用紙トレイ１１の一端はフィード通路及びピックアップローラー２０に連通される。理解を容易にするため、本明細書では前記用紙トレイ１１の前記ピックアップローラー２０に隣接する一端が前端と定義され、前記ピックアップローラー２０から離れる他端が後端と定義される。よって、前記用紙３０が前記ピックアップローラーにより前記フィード通路にフィードされる場合、後端から前端に向けて移動する。
【００２０】
前記第二送信素子１３及び第二受信素子１４は前記用紙トレイ１１の前端の両側面にそれぞれ設置される。前記プロセッサ１２は第二閾値を内部に記憶し、且つ前記第二送信素子１３に電気的に接続される。前記プロセッサ１２は前記第二送信素子１３のスイッチを制御する。第二送信素子１３がオンにされると、超音波ビームは発射されて用紙３０の上面を横方向に通過し、且つ前記用紙トレイ１１の他側面に設置された第二受信素子１４により受信される。前記第二A／D変換器１５は第二受信素子１４及びプロセッサ１２にそれぞれ電気的に接続され、第二受信素子１４により受信された超音波ビームをデジタル信号に変換した後にプロセッサ１２に出力する。前記プロセッサ１２は、第二A／D変換器１５から出力されたデジタル信号を読み取って第二閾値との比較を行う。
【００２１】
図１、図６（Ａ）及び図７Ａに示されるように、用紙を検知する効果を向上させるため、前記第二送信素子１３により発射された超音波ビームの発射角が１０度未満になるように構成され、且つ、前記発射角の最適な角度は０度であることが好ましい。また、図６（Ａ）及び図７Ａに示される好ましい実施形態において、前記第二送信素子１３により発射された超音波ビームの発射角を１０度未満とするため、前記第二送信素子１３は第二送信器１３１及び第一反射壁１９を更に備える。前記第一反射壁１９は球面反射壁として設けられ、内側の凹面は前記第二受信素子１４に向けられる。前記第二送信器１３１は前記第一反射壁１９の内側の凹面側に設置され、前記第二送信器１３１により発射された超音波ビームは前記第一反射壁１９によって反射して集中する。図７Ａに示されるように、第二送信器１３１から発射された超音波ビームは前記第一反射壁１９によって反射して集中した後、発射角度が明確にＣ１からＤ１に縮小される。
【００２２】
また、図６（Ｂ）及び図７Ｂに示されるように、前記第二送信素子１３の幅Ｗを更に縮小させるため、本図面に示される他の好ましい実施形態では、前記第一反射壁１９は連通された第一曲面壁１９１と第二曲面壁１９２とからなり、前記第一曲面壁１９１及び第二曲面壁１９２は共に球面反射壁として設けられ、且つ内側の凹面が前記第二受信素子１４に向けられ、前記第二送信器１３１は前記第一曲面壁１９１及び第二曲面壁１９２の焦点ｆ間の接続線上に位置する。また、前記第一曲面壁１９１は前記第二送信器１３１の前端側に設置され、前記第一曲面壁１９１の焦点が前記第二送信器の前端に位置するように構成される。前記第二曲面壁１９２は前記第二送信器１３１の後端側に設置され、前記第二曲面壁１９２の焦点が前記第二送信器の後端に位置するように構成される。上記の設置により、前記第一反射壁１９の曲率半径が減少し、従って前記第二送信器１３１と前記第一反射壁１９との距離も短縮して、前記第二送信素子１３の幅Ｗを減少させる効果が更に達成される。なお、図７Ｂに示されるように、第二送信器１３１から発射された超音波ビームは前記第一反射壁１９によって反射して集中した後、発射角度が明確にＣ２からＤ２に縮小される。
【００２３】
図１及び図７Ｃに示される好ましい実施形態において、前記第二受信素子１４は第二受信器１４１及び第二反射壁１９３を備え、前記第二反射壁１９３は球面反射壁として設けられ、内側の凹面は前記第二送信素子１３に向けられる。前記第二受信器１４１は前記第二反射壁１９３の内側の凹面側に設置され、超音波ビームは前記第二反射壁１９３によって反射して集中し、前記第二受信器１４１に入射する。図７Ｃに示されるように、第二送信器１３１から発射された超音波ビームは前記第二反射壁１９３によって反射して集中した後、前記第二受信器１４１に入射する。
【００２４】
図１、図８Ａ及び図５を参照すると、前記プロセッサ１２は更に第一閾値を内部に記憶し、前記第一送信素子１６もまた前記用紙トレイ１１の前端に設置され、且つ前記用紙トレイ１１の後端に向けて超音波ビームを発射する。図８Ａに示されるように、前記第一送信素子１６と前記用紙トレイ１１のトレイ面との間に夾角Ａが形成され、下向きに傾斜した方向に超音波ビームが発射される。前記第一送信素子１６はプロセッサ１２に電気的に接続され、プロセッサ１２により第一送信素子１６のスイッチが制御される。第一送信素子１６がオンにされると、前下方に向けて用紙３０の上面に超音波ビームを発射する。前記第一受信素子１７は用紙トレイ１１の前端に設置され、且つ前記第一受信素子１７と前記用紙トレイ１１のトレイ面との間に夾角Ｂが形成されることにより、下向きに傾斜した方向に前記用紙３０から反射された超音波ビームを受信する。前記第一送信素子１６と前記用紙トレイ１１のトレイ面との間の夾角Ａは前記第一受信素子１７と前記用紙トレイ１１のトレイ面との間の夾角Ｂよりも大きく、且つ前記第一受信素子１７の設置高さｈ２は前記第一送信素子１６の設置高さｈ１よりも低い。前記第一A／D変換器１８は第一受信素子１７に電気的に接続され、第一受信素子１７により受信された超音波ビームをデジタル信号に変換した後に出力する。前記第一A／D変換器１８はプロセッサ１２に電気的に接続され、プロセッサ１２が第一A／D変換器１８から出力されたデジタル信号を読み取って第一閾値との比較を行う。
【００２５】
なお、図８Ａに示されるように、用紙トレイ１１全体を超音波ビームの発射範囲に含めるために、超音波ビームを発射する第一送信素子１６の発射角Ｅを６０度より大きいとするが、超音波のエネルギーが発散されすぎないようにするために、前記発射角Ｅを９０度未満とする。続いて、図８Ｂ〜図８Ｄを参照する。前記第一送信素子１６と前記用紙トレイ１１のトレイ面との間の夾角は、前記用紙３０の反りの検出に影響を与える。用紙を検知する効果を最適化するため、図８Ｂに示されるように、好ましい実施形態において、前記第一送信素子１６と前記用紙トレイ１１のトレイ面との間の夾角Ａは４０度より大きく６０度未満とする。前記第一送信素子１６と前記用紙トレイ１１のトレイ面との間の夾角Ａが上記角度の範囲にある場合、用紙の反りによって反射された超音波ビームは容易に反射されて前記第一受信素子１７に戻って、用紙の末端の軽微な反りを容易に検出可能になる。続いて、図８Ｃに示されるように、前記第一送信素子１６と前記用紙トレイ１１のトレイ面との間の夾角Ａが小さすぎる場合（前記第一送信素子１６と前記用紙トレイ１１とが平行する）、前記第一送信素子１６により発射された超音波ビームは前記用紙トレイ１１の後端まで反射されて、前記第一受信素子１７により受信されることができなくなる。また、超音波ビームが用紙トレイの後端に向けて過度に偏移した場合、長さが短い用紙を検出不能になる。続いて、図８Ｄに示されるように、反対に、前記第一送信素子１６と前記用紙トレイ１１のトレイ面との間の夾角Ａが大きすぎる場合（前記第一送信素子１６と前記用紙トレイ１１とが垂直になる）、超音波ビームが用紙トレイ１１全体をカバー可能にするために、前記第一送信素子１６と前記用紙トレイ１１との距離ｈ１を延長させなければならず、設置コストが更に増える。また、超音波ビームが用紙トレイの前端に向けて過度に偏移した場合、フィード通路に非常に接近しなければ用紙の反りが検出できなくなり、エラーを検知した後の反応時間が不足する。
【００２６】
続いて、図９Ａ及び図９Ｂに示されるように、前記第一受信素子１７と前記用紙トレイ１１のトレイ面との間の夾角Ｂも同様に前記用紙３０の反りの検出に影響を与え、図９Ａに示されるように、前記第一受信素子１７と前記用紙トレイ１１のトレイ面との間の夾角Ｂが小さすぎる場合、用紙以外の物体から反射されて戻ってきた超音波を容易に受信してしまい、判定ミスが起こる。続いて、図９Ｂに示されるように、前記第一受信素子１７と前記用紙トレイ１１のトレイ面との間の夾角Ｂが大きすぎる場合、超音波ビームの受信範囲が用紙トレイの前端に向けて過度に偏移し、用紙の反りがフィード通路に非常に接近しなければ検出できなくなり、エラーを検出した後の反応時間が不足する。また、前記第一受信素子１７の受信範囲が用紙トレイ１１全体をカバー可能にするために、前記第一受信素子１７と前記用紙トレイ１１との距離ｈ２も延長させなければならず、設置コストが更に増える。
【００２７】
図１、図２、図４及び図５を参照し、本考案に係る用紙の反り検出装置の用紙の反りの検出方法は、以下の工程を含む。
Ｓ１、第二送信素子１３に用紙３０の前端の上面を横方向に通過する超音波ビームを発射させる。
Ｓ２、第二受信素子１４に第二送信素子１３から発射された超音波ビームを受信させ、且つ前記超音波ビームを出力させる。
Ｓ３、第二A／D変換器１５に第二受信素子１４により受信された超音波ビームをデジタル信号に変換させて出力させる。
Ｓ４、プロセッサ１２に第二閾値を記憶させ、第二A／D変換器１５から出力されたデジタル信号を読み取らせて第二閾値との比較を行わせる。第二A／D変換器１５から出力されたデジタル信号が第二閾値未満である場合、フィード時に用紙３０の反りが生じたと判断し、そうでない場合、用紙３０がフィード時に正常に給紙されたと判断する。
【００２８】
次は図１、図２、図３及び図５を参照し、本考案に係る用紙の反り検出装置の用紙の反りの検出方法は、以下の工程を更に含む。
Ｓ２１、第一送信素子１６に前下方に向けて用紙３０の上面に超音波ビームを発射させる。
Ｓ２２、第一受信素子１７に第一送信素子１６から発射されて用紙３０により反射された超音波ビームを受信させ、且つ前記超音波ビームを出力させる。
Ｓ２３、第一A／D変換器１８に第一受信素子１７により受信された超音波ビームをデジタル信号に変換させて出力させる。
Ｓ２４、プロセッサ１２に第一閾値を記憶させ、第一A／D変換器１８から出力されたデジタル信号を読み取らせて第一閾値との比較を行わせる。第一A／D変換器１８から出力されたデジタル信号が第一閾値を超えた場合、フィード時に用紙３０の反りが生じたと判断して給紙を停止させ、そうでない場合、用紙３０がフィード時に正常に給紙されたと判断する。
【００２９】
図１〜図５を参照し、本考案に係る用紙の反り検出装置及びその検出方法の作動原理は下記の通りである。用紙をピックアップする場合、ピックアップローラー２０が用紙トレイ１１に設置された最上位の用紙３０の上面に当着するまで下に向けて移動し、ピックアップローラー２０が用紙をピックアップすると共に最上位の用紙３０を連動させて正常に前方にフィードさせ、第二受信素子１４が強くて安定的な超音波ビームを受信させ、フィードされる複数の用紙３０の前端がステープル４０によって綴じられる。ピックアップローラー２０が回転すると共に最上位の用紙３０を連動させて通常に前方にフィードすると、最上位の用紙３０の前端が湾曲して変形し、用紙３０の湾曲部分は第二送信素子１３から発射された超音波ビームを第二受信素子１４によって受信するのを阻害することにより、第二受信素子１４がより弱い超音波ビームを受信する。第二受信素子１４により受信された超音波ビームの強度が第二閾値未満の場合、フィード時に用紙３０の反りが生じたと判断して給紙が停止させ、これにより、フィード時に用紙３０の損壊が有効的に防止される。
【００３０】
フィードされた複数の用紙３０の後端がステープル４０によって綴じられ、ピックアップローラー２０が用紙をピックアップすると共に最上位の用紙３０を連動させて前方にフィードすると、最上位の用紙３０が綴じられた他の用紙３０の後端を連動させて一緒に浮き上がる。用紙３０の後端が一定程度に浮き上がると、用紙３０の前端が反り上がり、第二送信素子１３から発射された超音波ビームを第二受信素子１４によって受信することが阻害される。用紙の反りの検出方法の工程Ｓ１〜Ｓ４を経て前記の状況で用紙３０の反りが生じているかどうかが検出されるが、第二送信素子１４及び第二受信素子１３は前記の状況に応じる速度が遅くし（用紙３０の後端が一定程度に湾曲した場合のみ、用紙３０の前端の湾曲変形が第二送信素子１３から発射された超音波ビームを第二受信素子１４によって受信するのを阻害することができる。よって、用紙３０のフィード時に生じた反りが検出可能になる）、この場合には用紙３０が既に破損している可能性がある。よって、前記の状況では、用紙の反りの検出方法の工程Ｓ２１〜Ｓ２４を組み合わせることで前記の状況での検出が更に向上し、用紙３０のフィード時の破損が更に効果的に防止される。
【００３１】
用紙の反りの検出方法の工程Ｓ２１〜Ｓ２４の作動原理は下記の通りである。通常な給紙では、第一受信素子１７が超音波ビームを受信できないか、或いは弱い超音波ビームしか受信できない（第一送信素子１６及び第一受信素子１７は共に用紙トレイの前上方に設置され、即ち同じ側に位置される）。フィードされた複数の用紙３０の後端がステープル４０によって綴じられ、ピックアップローラー２０が用紙をピックアップすると共に最上位の用紙３０を連動させて前方にフィードすると、最上位の用紙３０が一緒に綴じられている他の用紙３０の後端を連動させて一緒に浮き上がり、用紙３０が浮き上がることにより、第一送信素子１６から発射された超音波ビームが反射され、このため第一受信素子１７は強い超音波ビームを受信する。第一受信素子１７が受信した超音波ビームの強度が第一閾値を超えた場合、フィード時に用紙３０の反りが生じたと判断して給紙が停止され、こうしてフィード時に用紙３０の損壊が効果的に防止される。
【００３２】
以上のとおり、本考案に係る用紙の反り検出装置及びその検出方法は、給紙時に用紙３０の反りが生じていないかどうかを有効的に検出させることにより、用紙３０の給紙時の破損を防止する。
【００３３】
以上、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求の範囲に含まれるものと解釈すべきである。
【符号の説明】
【００３４】
１１  用紙トレイ
１２  プロセッサ
１３  第二送信素子
１３１  第二送信器
１４  第二受信素子
１４１  第二受信器
１５  第二A／D変換器   
１６  第一送信素子
１７  第一受信素子
１８  第一A／D変換器
１９  第一反射壁
１９１  第一曲面壁
１９２  第二曲面壁
１９３  第二反射壁
２０  ピックアップローラー
３０  用紙
４０  ステープル
１００  事務機器
【図１】
0003223365.tif 000003
【図２】
0003223365.tif 000004
【図３】
0003223365.tif 000005
【図４】
0003223365.tif 000006
【図５】
0003223365.tif 000007
【図６】
0003223365.tif 000008
【図７Ａ】
0003223365.tif 000009
【図７Ｂ】
0003223365.tif 000010
【図７Ｃ】
0003223365.tif 000011
【図８Ａ】
0003223365.tif 000012
【図８Ｂ】
0003223365.tif 000013
【図８Ｃ】
0003223365.tif 000014
【図８Ｄ】
0003223365.tif 000015
【図９Ａ】
0003223365.tif 000016
【図９Ｂ】
0003223365.tif 000017
【図１０Ａ】
0003223365.tif 000018
【図１０Ｂ】
0003223365.tif 000019